(57)【特許請求の範囲】
【請求項１】
分割された本体筐体と蓋体筐体とがヒンジ部を介して回動自在に連結して一体構成される折り畳み式携帯電話機において、
前記蓋体筐体と前記本体筐体とを折り畳む合わせ面の前記本体筐体の合わせ面を延長して露出面を形成し、
前記本体筐体の合わせ面にはスピーカ部を配設し、このスピーカ部と外通する蓋体開口部を前記蓋体筐体に配設したことを特徴とする折り畳み式携帯電話機。
【請求項２】
請求項１記載の折り畳み式携帯電話機において、
前記蓋体筐体の合わせ面にはＬＣＤ表示部を、前記露出面には第２ＬＣＤ表示部または操作キー部を配設したことを特徴とする折り畳み式携帯電話機。
【請求項３】
請求項２記載の折り畳み式携帯電話機において、
前記蓋体筐体の合わせ面のＬＣＤ表示部はカラーＬＣＤとし、前記露出面の第２ＬＣＤ表示部は白黒ＬＣＤとして配設したことを特徴とする折り畳み式携帯電話機。
【請求項４】
分割された本体筐体と蓋体筐体とがヒンジ部を介して回動自在に連結して一体構成される折り畳み式携帯電話機において、
前記蓋体筐体と前記本体筐体とを折り畳む合わせ面の前記本体筐体の合わせ面を延長して露出面を形成し、
前記蓋体筐体の合わせ面にはＬＣＤ表示部を、前記露出面には第２ＬＣＤ表示部を配設し、
前記蓋体筐体の合わせ面のＬＣＤ表示部はカラーＬＣＤとし、前記露出面の第２ＬＣＤ表示部は白黒ＬＣＤとして配設したことを特徴とする折り畳み式携帯電話機。
【請求項５】
請求項４記載の折り畳み式携帯電話機において、
スピーカ部を、前記蓋体筐体の外面と本体筐体の合わせ面とのいずれか一方に、または、この蓋体筐体の外面とこの本体筐体の合わせ面の両方に配設したことを特徴とする折り畳み式携帯電話機。
【発明の詳細な説明】
【０００１】
【発明の属する技術分野】
本発明は、携帯電話機に係り、特に分割されたふたつの電話機筐体がヒンジ機構等により回動自在に一体構成される折り畳み式携帯電話機に関するものである。ただし、本特許明細書では折り畳み式携帯電話機について述べているが、携帯電話機だけに限らず、携帯無線機、ＰＨＳ、トランシーバ、コードレス電話などの他の折り畳み式の移動体通信端末装置についても本発明は適用できるものである。
【０００２】
【従来の技術】
従来の折り畳み式携帯電話機は、普段使用しない時は装置を折り畳んで閉じておき、通話時や通信時等の使用時においては装置を開いて使用する設計になっていた。図３は、従来の折り畳み式携帯電話機の一例である。図３（Ａ）は閉じた携帯電話機の側面図、（Ｂ）は開けた携帯電話機の側面図、（Ｃ）は閉じた携帯電話機の上面図、（Ｄ）は開けた携帯電話機の上面図である。使用時、使用者が直接耳にあてるスピーカー部５は蓋体筐体２の合わせ面の開き口端部側にあり、また、ＬＣＤ表示部６は蓋体本体２の合わせ面の略中央に設けられており、蓋体本体２内面の同じ面にスピーカー部５とＬＣＤ表示部６の両方が配設されていた。そして、操作キー部７は本体筐体１の合わせ面内面にある。よって、通常折り畳まれているときは、スピーカー部５、ＬＣＤ表示部６、操作キー部７のいずれもが筐体の合わせ面に隠れていて見えず、そのままでは使用できない。
【０００３】
【発明が解決しようとする課題】
しかしながら、携帯電話機は情報端末としての性格が近年益々強くなっている。折り畳み式の携帯電話機ではコンパクトで使いやすいものが求められているが、従来の携帯電話機では性能等がまだ十分でなく、次のような問題点がある。
・通話時、通信時、発着信時等の使用時においては、必ず筐体を開かなければ使用できない。
・同じ面にスピーカー部とＬＣＤ表示部とが配置してあるので、ＬＣＤ表示部の大きさが制約を受けるためＬＣＤ画面が小さくて見にくいし、そのうえ情報の掲示も少ない。
・操作キーもＬＣＤ表示も合わせ面に隠れていて外からは見えないので不便である。
・ＬＣＤ表示部、特にカラーの表示部は消費電流が大きいので、発着信時、通話時等のたびごとに表示動作をさせていたら、携帯電話機に要求される長時間使用を満足するのが難しい。
・筐体の合わせ面の内面に隠れていたＬＣＤ画面や操作キーなどが使用時には露出してくるので、皮脂等による汚れや誤動作等が生じることがある。
【０００４】
本発明は上記の問題点に鑑みなされたもので、発信時または着信時または通話時には開かなくとも使え、ＬＣＤ画面をもっと見やすく大画面表示化ができ、カラーＬＣＤ表示部は表示時間の制限ができ、消費電流が小さくて済み、ＬＣＤ画面や操作キーなどが汚れにくい折り畳み式携帯電話機を提供することを目的とする。
【０００５】
【課題を解決するための手段】
本発明は上述の課題を解決するために、次のような手段を用いる。
（１）分割された本体筐体１と蓋体筐体２とがヒンジ部３を介して回動自在に連結して一体構成される折り畳み式携帯電話機において、
この蓋体筐体２とこの本体筐体１とを折り畳む合わせ面４ａの本体筐体１の合わせ面を延長して露出面４ｂを形成し、
本体筐体１の合わせ面４ａにはスピーカ部５ｂを配設し、このスピーカ部５ｂと外通する蓋体開口部２ａを前記蓋体筐体２に配設した。
（２）(１)の折り畳み式携帯電話機において、
蓋体筐体２の合わせ面４ａにはＬＣＤ表示部６ａを、露出面４ｂには第２ＬＣＤ表示部６ｂまたは操作キー部７ｂを配設した。
（３）(２)の折り畳み式携帯電話機において、
蓋体筐体２の合わせ面４ａのＬＣＤ表示部６ａはカラーＬＣＤとし、露出面４ｂの第２ＬＣＤ表示部６ｂは白黒ＬＣＤとして配設した。
（４）分割された本体筐体１と蓋体筐体２とがヒンジ部３を介して回動自在に連結して一体構成される折り畳み式携帯電話機において、
この蓋体筐体２とこの本体筐体１とを折り畳む合わせ面４ａの本体筐体１の合わせ面を延長して露出面４ｂを形成し、
蓋体筐体２の合わせ面４ａにはＬＣＤ表示部６ａを、露出面４ｂには第２ＬＣＤ表示部６ｂを配設し、
蓋体筐体２の合わせ面４ａのＬＣＤ表示部６ａはカラーＬＣＤとし、露出面４ｂの第２ＬＣＤ表示部６ｂは白黒ＬＣＤとして配設した。
（５）(４)の折り畳み式携帯電話機において、
スピーカ部（５ａ，５ｂ）を、蓋体筐体２の外面と本体筐体１の合わせ面とのいずれか一方に、または、蓋体筐体２の外面とこの本体筐体１の合わせ面４ａの両方に配設した。
【０００６】
【発明の実施の形態】
以下、図１〜２を参照して本発明による折り畳み式携帯電話機の実施の形態を詳細に説明する。
図１は、本発明による折り畳み式携帯電話機の実施の形態を示す図であり、図１（Ａ）は閉じた装置の側面図、（Ｂ）は開けた装置の側面図、（Ｃ）は閉じた装置の上面図、（Ｄ）は開けた装置の上面図からなる。
図２は、本発明による携帯電話機の他の実施の形態を示す図であり、図２（Ａ）は閉じた装置の側面図、（Ｂ）は開けた装置の側面図、（Ｃ）は閉じた装置の上面図、（Ｄ）は開けた装置の上面図からなる。
【０００７】
図１に示すように、分割された本体筐体１と蓋体筐体２とがヒンジ部３を介して回動自在に連結して一体構成される折り畳み式携帯電話機である。この蓋体筐体２とこの本体筐体１とを折り畳むと合わせ面４ａができるが、この合わせ面４ａに延長するようにして、２つの筐体のどちらかひとつの合わせ面４ａ側の外面を露わにし露出面４ｂを形成している。この露出面４ｂはふたつの筐体すなわち蓋体筐体２と本体筐体１とを合わせて大きさや形状が異なるとき、合わせ面を除いた面が露出面となっているものである。図１ではふたつの矩形の筐体の長手方向の長さを蓋体筐体２の方を短くしておくことで、本体筐体１の合わせ面側の面上の送話部９側に、露出面４ｂが形成されている。露出面４ｂの形は図１では方形または矩形であるが、特にこれに限らず、○形、凹形、凸形、Ω形、△形など種々考えられる。この露出面４ｂは、本体筐体１の合わせ面が延長されて同一平面上で形成されているが、露出面４ｂの一部または全部を突設させてもよい。露出面４ｂ全体を盛り上げて蓋体筐体２の外面と略同一平面に置くこともできる。ここで、露出面４ｂの一部を突設させ露出面突設部を形成するときは、蓋体筐体２にも外部に貫通する突設面係合部を設け、この露出面突設部と突設面係合部を係合配置させることもできる。なお、図１においては、露出面４ｂは本体筐体１の面の延長として形成したが、蓋体筐体２の延長面として形成することももちろん可能である。
【０００８】
さらに、蓋体筐体２の合わせ面４ａにはＬＣＤ表示部６ａを、露出面４ｂには第２ＬＣＤ表示部６ｂまたは操作キー部７ｂを配設している。第２ＬＣＤ表示部６ｂと操作キー部７ｂは筐体を閉じた状態でも、露出面４ｂ上にあるので、筐体を開けなくともそのまま使用できる。蓋体本体２の長手方向の長さは、本体筐体１の長さの２／３程度としており、本体筐体１の合わせ面側の面の約１／３が露出面として設定できる。
ここで、ＬＣＤ表示部６ａをカラーＬＣＤ画面とし、第２ＬＣＤ表示部６ｂは白黒ＬＣＤ画面とすれば、文字や画像を含めた各種情報はカラーＬＣＤ表示部６ａに、通話に必要な情報や日付・時計表示は白黒の第２ＬＣＤ表示部に、としてそれぞれを使い分けることができる。このような構造は、いわゆる「デュアルＬＣＤ」と呼んでもよいが、情報端末としては非常に実用性が高いものになる。
【０００９】
折り畳んだ状態でも露出面４ｂだけは現れるので、ここに白黒ＬＣＤ画面と必要最低限の操作キーを配設しておくとよい。例えば、通話・終話キー、メモリーに依存している電話番号を呼び出す操作をするキーなど、最小限通話に必要な機能を操作できるキーやマナーモード等を設定できるキーなどを露出面４ｂ上に配設するのがよい。図１（Ｄ）に示すように、折り畳んだとき隠れてしまう操作キー７ａにはテンキー類を配置し、露出部４ｂには白黒ＬＣＤ表示部６ｂを配置し、これと並設される送話部９側の操作キー部７ｂには通話に必要な最低限の操作キーを配置するのが、実用性や操作性から見てよい配列である。
【００１０】
またさらに、蓋体筐体２の合わせ面４ａにはＬＣＤ表示部６ａを配設し、それに加えて、ＬＣＤ表示部６ａの背中合わせの反対側面で蓋体筐体２外面にはスピーカ部５ａを、そして、本体筐体１の合わせ面４ａにはスピーカ部５ｂを配設する。スピーカ部１台をいずれかに一方にだけ配設してもよいし、スピーカ部２台を１台ずつ分けてそれぞれに配設してもよい。
蓋体筐体２の外面上にスピーカ部５ａ配設するときは、このスピーカ部５ａをレシーバ（受話用スピーカ）として設定すれば、使用に際して装置をわざわざ手で開けなくてもよくなり、とても便利になる。スピーカ部５ａの配設位置は、送話部９と反対の方向のヒンジ部に近い方の位置に配設するのが使いやすい。
【００１１】
第１のスピーカ部５ａを蓋体筐体２の外面上に、さらに第２のスピーカ部５ｂを本体筐体１の合わせ面４ａ上に配設した場合、第１のスピーカ部５ａはレシーバ（受話用スピーカ）とし、第２のスピーカ部５ｂは拡声スピーカ（ハンズフリーで聞くスピーカまたはリンガー用スピーカ）とするなら、これもいわゆる「デュアルスピーカ」構造として、ダイナミックでリアルで音響的な音が聞こえ、臨場感にあふれ音質効果の高いものが実現できる。しかも、電話機としてのみならず、その装置１台で、画像・ゲーム・音楽などマルチメデアがより楽しめるようになる。そして、スピーカ５ａは、蓋体筐体２の外面すなわちＬＣＤ表示部６ａの背中合わせ面に配置してあり、同一面上ではなくなったので、内側のＬＣＤ表示スペースを最大限利用できるようになる。
【００１２】
それから、蓋体筐体２と本体筐体１との合わせ面４ａに、筐体の開閉を感知する検知キー１０を配設した。この検知キー１０は蓋体筐体２の合わせ面内面４ａすなわちＬＣＤ表示部６ａのヒンジ部側に配設してあるが、通常では、このキーはＬＣＤ表示部の明るさや輝度を調節するためのキーとして用いているものである。本発明ではこのキーに特に筐体の開閉を感知する検出キーとしての機能を加えて設計した。これらのキーは、装置が折り畳まれたときには、筐体合わせ面で押されるように適当な高さを有して突出されるように設定すれば、筐体の開閉を検出できる。この検知キー１０により、筐体の開閉に応じて、消費電力の大きいカラーＬＣＤ表示部６ａの表示と消費電力の少ない白黒ＬＣＤ表示部６ｂの表示の切り替えも可能となる。
さらに、この装置開閉検出機能に「レシーバと拡声スピーカの出力切り替え機能」を連動させることもできる。これにより、ソフトウェアにあまり負荷をかけずに、２つのスピーカの出力切り替えのバリエーションを増やすことができる。
【００１３】
本発明の携帯電話機は、通常では蓋体筐体２のカラーＬＣＤ表示部６ａは折り畳まれて見えない状態である。この状態の時には、明るさや輝度の調節もする検知キー１０は、カラーのＬＣＤ表示部６ａは折り畳まれた状態であることを検知し、カラーのＬＣＤ表示部６ａの表示動作を停止するようにしている。音声通話発信時はメモリーに保存してある電話番号を呼び出し、白黒ＬＣＤ６ｂに表示することで通常はカラーのＬＣＤ表示部６ａを開く必要がない。音声通話着信時も相手の電話番号等は白黒ＬＣＤ６ｂに表示され、カラーＬＣＤ表示部６ａを開く必要がなく、その後の通話も開かずに通話ができる。
インターネットやメール等の操作でカラーＬＣＤ表示部６ａが必要な時は、カラーＬＣＤ表示部６ａを開く。明るさや輝度を調節するための検知キー１０はカラーのＬＣＤ表示部６ａが開いたことを検知し、カラーのＬＣＤ表示部６ａを表示動作させる。
【００１４】
さらに、図１および図２に示されるθは、本体筐体１と蓋体筐体２との開き角度を示す。開き角度θを規制することで携帯電話機はより実用的になる。一例としては、最大開き角度θを１３５°前後に設定し、この角度で開きが停止するようにするのがよい。次世代の携帯電話通信方式であるIMT-2000ではインターネットや音声通話等が同時に操作可能であるが、例えばインターネットを利用している時に音声着信があった場合、誤って拡声スピーカを耳に当ててしまうことのないように、携帯電話機の開き角度θに限界を設け、耳が拡声スピーカに容易に当たらない構造とすると安全である。
【００１５】
図２に示す他の実施の形態は、本体筐体１の合わせ面にスピーカ部５ｂを配設し、そのスピーカ部５ｂに外通する蓋体開口部２ａを蓋体筐体２に具備したものである。スピーカ５ｂからの音は外通する蓋体開口部２ａを通じて外部に聞こえてくるので、スピーカ５ｂには普通のレシーバ（受話用スピーカ）を採用するならば、携帯電話機を閉じたままで使用できる。
また、普通のレシーバ（受話用スピーカ）の代わりに拡声スピーカを採用することができるし、さらにデュアルドライブスピーカを拡声スピーカの代わりに搭載することもできる。蓋体筐体２のレシーバ（受話用スピーカ）がなくとも、外通する蓋体開口部２ａがあるので音は外部によく伝わり、前述と同様の音響効果を実現できる。
【００１６】
スピーカ５ｂの音は、スピーカ５ｂ→本体筐体１の開口小窓５２→蓋体筐体２の開口小窓５３→蓋体開口部２ａ→蓋体筐体２の開口小窓５１→外部という順番で音が届いていく。図１または図２に示すように、スピーカの配設にあたっては、スピーカ自体は筐体外表面から少し中に内設されており、音の出る位置の筐体外面に開口小窓（５１，５２，５３）を設けている。音が外部によく通じるようにするためなので、もっと大きな開放窓にするとか、広い通気ネットにするなど、周知の種々の技術を適用して適宜設計するとよい。
【００１７】
【発明の効果】
このように本発明によれば、次のような優れた効果を発揮する。
・音声発着時や音声通話時には、露出しているＬＣＤ部や操作キーが使えるので、使用するに際して装置をわざわざ手で開く必要がなくなり、とても便利になった。
・カラーＬＣＤ表示部は、スピーカ（レシーバ）を背面に配置することにより、表示スペースを最大限利用できる。本発明では全角１０文字×１２行以上の表示が可能となる。
・本体側はバータイプの面積をほぼフルに使用できるので、従来の折り畳み式よりさらにキー数を増やせて、通話用と情報用に分けることができ、ダブルファンクションキーも少なくすることができる。さらに、文字入力などで多用するテンキーは片手操作が楽にできる位置に配置することができる。
・音声通話時は筐体を開かなくて済むので、カラーＬＣＤ用フロントグラスやキーボード面を皮脂などで汚すことはなくなる。
・カラーＬＣＤは、いつもは内側に隠れているので、ＬＣＤ表面を保護するフロントグラスも特別な強度対策がいらなくなる。
・スピーカを、蓋体筐体の外面すなわちＬＣＤ表示部の背面に配置してあるので、内側のＬＣＤ表示スペースを最大限利用できるようになった。
・音声通話時に消費電流の多いカラーＬＣＤ表示部の表示動作をさせる必要がなくなり、電池の消耗が押さえられ、長時間使用を可能にする。
・明るさや輝度の調節キーが、カラーＬＣＤ部の開閉を検知するキーを兼用することにより、手動での切り替えを必要とせず、部品点数の削減ができる。
・装置筐体は開き角が規制されているので、誤って拡声スピーカに耳を当ててしまうことがなくなった。装置の開き角は１３５°前後の時が最も効果的である。
・「音声・文字・画像・音楽」等を外部機器を使わずに楽しめ、いわゆる“マルチメディア端末”として大いに活用できるようになった。そして、光マイクやデュアルドライブHiFiスピーカなどの新部品の開発でさらなる発展が期待できる。
【図面の簡単な説明】
【図１】本発明による折り畳み式携帯電話機の実施の形態を示す側面図および上面図。
【図２】本発明による折り畳み式携帯電話機の他の実施の形態を示す側面図および上面図。
【図３】従来の折り畳み式携帯電話機の一例を示す側面図および上面図。
【符号の説明】
１    本体筐体
２    蓋体筐体
２ａ  蓋体開口部
３    ヒンジ部
４ａ  合わせ面
４ｂ  露出面
５ａ，５ｂ  スピーカ部
６ａ，６ｂ  ＬＣＤ表示部
７ｂ  操作キー部
１０  検知キー１０
【図１】
0003735234.tif 000002
【図２】
0003735234.tif 000003
【図３】
0003735234.tif 000004